(57)【要約】      （修正有）【課題】外出先で荷物が重い為リュックサックを置いて移動する時に、貴重品などを入れて持ち歩く移動用リュックサックを別途用意することなく、リュックサック本体から小型リュックサック部分を分離させて使うことが出来る。また、リュックサックをほかの形のバッグとして使いたいときに、形を変えて使うことが出来るマルチウェイリュックサックを提供する。【解決手段】リュックサック本体１のポケット部分となる形で小型リュックサック２を連結させることによって、リュックサック本体１と小型リュックサック２を一体化させる。リュックサック１のショルダーベルト３はホック４を一つの凸ボタンに対して、複数の凹ボタンを対応させることによってベルト３の取付け位置や長さを変えることが出来、リュックサック１をショルダーバッグや、斜め掛けバッグ、手提げバッグ、ベビーカー用バッグに変化させて使う。【選択図】図１
2017176796.tif 000002
【特許請求の範囲】
【請求項１】
着脱可能なショルダーベルトを使うことによって、マルチウェイに変化させることが可能なリュックサック本体に着脱可能な小型リュックサックを取付け、小型リュックサックがリュックサック本体のポケットとして使用ができることを特徴とするマルチウェイリュックサック。
【請求項２】
リュックサック本体の着脱可能なショルダーベルトを、対応する位置にある連結具に通し変え、一つの凸ボタンに対して複数の凹ボタンを対応させ、ホック等の留める位置を変えることによって、リュックサックをショルダーバッグ、手提げバッグ、ベビーカー用バッグ、斜め掛けバッグと変化させることができることを特徴とするマルチウェイリュックサック。
【請求項３】
リュックサック本体に取り付けた着脱可能な小型リュックサックは、ベルトの取付け位置や長さを変えることによって、ショルダーバッグや斜め掛けバッグ、ハンドバッグに変化させることができ、小型リュックサックとして使用する際には、ショルダーベルトを背あて面中央上部に取付けた二重リングに通すことによってショルダーベルトの中央部がずれにくくなり、リュックサック本体に取付けて使用する際には、着脱可能な連結具で両端上部をリュックサック本体とつなげ、垂れ下がったショルダーベルトを背あて面ポケットに押し込むことで、ショルダーベルトが下からはみ出すことを防止でき、下部をマグネットボタン等でリュックサック本体とつなげることで、リュックサック本体のポケットのように一体化して見えることを特徴とするマルチウェイリュックサック。
【発明の詳細な説明】
【技術分野】
【０００１】本発明はリュックサック本体に着脱可能な連結具で小型リュックサックを取付け、一体化して使用でき、リュックサック本体のショルダーベルトを対応する連結具に通し、ホック等のボタンでつなげる位置を変えることによって、リュックサックが斜め掛けバッグ、ショルダーバッグ、手提げバッグ、ベビーカー用バッグと変化させることができるようにしたものである。
【背景技術】
【０００２】従来は、ひとつのショルダーベルトを使ってマルチウェイに変化するリュックサックに小型リュックサックを取り付けたものは無かった。
【発明の開示】
【発明が解決しようとする課題】
【０００３】外出先で荷物が重いとき、荷物を置いて貴重品のみを持ち歩くことがあるが、その際にリュックサックで移動したい場合は、移動用のリュックサックをもう一つ持ち歩かなくてはならないという難点があった。また、リュックサックをショルダーバッグや、斜め掛けバッグ、手提げバッグ、ベビーカー用バッグと変化させて使いたい場合、その形のバッグに対応する持ち手が付けられたものか、ショルダーベルト等を別に用意して取付けなければならないという難点があった。本発明は、この課題を解消するためになされたものである。
【課題を解決するための手段】
【０００４】リュックサック本体のポケット部分となる形で小型リュックサックを連結させることによって、リュックサック本体と小型リュックサックが一体化して使えるようにした。また、さらに一体感を増すように、小型リュックサックの下部をマグネットボタン等でリュックサック本体とつなげ、小型リュックサックのショルダーベルトが垂れ下がらないように、小型リュックサック背あて面のポケットに押し込むことで、ショルダーベルトが下からはみ出さないようにした。リュックサック本体のショルダーベルトのホックは、一つの凸ボタンに対して、複数の凹ボタンを対応させることによって、リュックサックをショルダーバッグや、斜め掛けバッグ、手提げバッグ、ベビーカー用バッグに変化させて使うことができるようにした。
【発明の効果】
【０００５】本発明のマルチウェイリュックサックは、使用者が外出先で荷物が重い為リュックサックを置いて移動する時に、貴重品などを入れて持ち歩く移動用リュックサックを別途用意することなく、リュックサック本体から小型リュックサック部分を分離させて使うことが出来る。また、リュックサックをほかの形のバッグとして使いたいときに、対応するショルダーベルト等を別に用意することなく、リュックサック本体で使用しているショルダーベルトを、ショルダーバッグや斜め掛けバッグ、手提げバッグ、ベビーカー用バッグの持ち手やショルダーベルトに形を変えて使うことが出来る。
【図面の簡単な説明】
【０００６】
【図１】本発明の正面斜視図である。
【図２】本発明の分割使用時の正面斜視図である。
【図３】本発明の分割使用時の背面斜視図である。
【図４】本発明の手提げバッグとしての使用時の正面斜視図である。
【図５】本発明のベビーカー用バッグとしての使用時の正面斜視図である。
【図６】本発明の斜め掛けバッグとしての使用時の正面斜視図である。
【図７】本発明の小型リュックサックをショルダーバッグとしての使用時の正面斜視図である。
【図８】本発明のショルダーベルト正面図と背面図である。
【発明を実施するための最良の形態】
【０００７】以下、本発明を実施するための形態について説明する。
マルチウェイリュックサック本体１に小型リュックサック２を連結具１２を使用して本体ポケットとして取り付ける。別々に使用する時は連結具１２から取り外し、２つのリュックサックとなる。
本体リュックサックのショルダーベルト３は、ホック４のはめる位置や取り付け方法によってショルダーバッグ、手提げバッグ、ベビーカー用バッグ、斜め掛けバッグと変化させることができる。
小型リュックサックもショルダーベルトの取付け位置や長さを変えることによって、ショルダーバッグや斜め掛けバッグ、ハンドバッグに変化させることが出来る。
【実施例】
【０００８】図１は、小型リュックサックをマルチウェイリュックサック本体と組み合わせ、リュックサック本体のポケットとして使用時の形態です。
【符号の説明】
【０００９】１  マルチウェイリュックサック本体
２  小型リュックサック
３  ショルダーベルト
４  ホック（凹凸ボタン）
５  本体リュックサック開口部ファスナー
６  小型リュックサックファスナーポケット
７  背あて面ポケット
８  凸ボタン
９  凹ボタン
１０  ショルダーベルト背面図
１１  ショルダーベルト正面図
１２  着脱可能な連結具
１３  マグネットボタン
【図１】
2017176796.tif 000003
【図２】
2017176796.tif 000004
【図３】
2017176796.tif 000005
【図４】
2017176796.tif 000006
【図５】
2017176796.tif 000007
【図６】
2017176796.tif 000008
【図７】
2017176796.tif 000009
【図８】
2017176796.tif 000010